(57)【要約】【課題】本発明は、計器を覆うカバーの不正な開放を防止する封印具の設置を、極めて簡単な作業で実施することができる封印具の保持設置装置を提供することを目的とする。【解決手段】ケース本体とこれを開閉する蓋部とを有する機器を閉状態で封印するための、前記ケース本体と前記蓋部を連綴する線状の封印線と、該封印線を挿通させた状態でかしめ固着可能な封印線固着材とを有する封印具を、保持し且つ設置する封印具保持設置装置１０を提供する。この装置は、封印線を収納する封印線収納部２０と、複数の封印線固着材を保持する封印線固着部４０と、装置内の先端スペース７０への固着材送り出し機構と、封印線と封印線固着材の固着機構及び封印線固着材が固着した封印線の切断機構が設けられた先端スペース７０と、からなる連続する箱状又は筒状構造の結合体として構成される。【選択図】図１
2011248184.tif 000002
【特許請求の範囲】
【請求項１】
ケース本体とこれを開閉する蓋部とを有する機器を閉状態で封印するための、前記ケース本体と前記蓋部を連綴する線状の封印線と、
該封印線の両端を同時に同方向から挿通可能な貫通孔を有し、且つ該貫通孔に通された前記封印線をかしめ固着可能な封印線固着材と、
を有する封印具を保持し且つ設置する封印具保持設置装置において、
前記封印線を一端側から引き出し可能に収納する封印線収納部と、
前記封印線の引き出し側に設けられ、前記封印線収納部から引き出された封印線の一端を前記封印線固着材の貫通孔に挿通させた状態で複数の前記封印線固着材を保持する固着材保持部と、
該固着材保持部から前記封印線を挿通させた状態で封印線固着材を装置内の先端スペースに順次送り出す固着材送り出し機構とを有し、
前記先端スペースには、前記封印線固着材をかしめて該封印線固着材に挿通された封印線と固着する固着機構、及び前記封印線固着材に固着した封印線を該封印線固着材の固着材保持部側で切断する切断機構が設けられ、
該先端スペースは、前記封印線の装置外への繰り出し、及び該先端スペースに送り込まれた前記封印線固着材の装置外への送り出しを行うための開口部に連続することを特徴とする封印具保持設置装置。
【請求項２】
前記固着材保持部には、前記封印線収納部側から前記先端スペース側までまっすぐに伸長する所定の剛性を有する中空管を有し、
前記中空管は前記封印線固着材の貫通孔内に挿通され、
前記封印線固着材は、前記貫通孔に前記中空管を挿通させた状態で前記固着材保持部に保持され、
前記封印線の前記貫通孔への挿通は、前記中空管内に挿通されて行われること
を特徴とする請求項１に記載の封印具保持設置装置。
【請求項３】
前記封印線収納部には、収納された封印線を外方からの押し動作により前記封印線収納部から順次繰り出す封印線繰り出し機構が設けられたことを特徴とする請求項１又は２に記載の封印具保持設置装置。
【請求項４】
前記固着機構及び前記切断機構は、筒状に形成された前記先端スペースの側部に設けられ、且つ外方からの１つの押し動作によって同時に作動する構成を有することを特徴とする請求項１〜３の何れか１項に記載の封印具保持設置装置。
【発明の詳細な説明】
【技術分野】
【０００１】
本発明は、封印具を保持し、且つ設置する封印具の保持設置装置に関し、特に、ケース本体とこれを開閉する蓋部とを有する機器を閉状態で封印するための封印具を保持し、且つ設置する封印具の保持設置装置に関する。
【背景技術】
【０００２】
電力計、水量計、タクシーメーター等の計器は、検針員等の計器調整の許可を得た者以外の者がその計器に触れて、例えば、メーターを巻き戻したり、又はメーターの速度を遅延させたりする不正が行われることが無いように、カバーに覆われて取り付けられており、さらにそのカバーには封印が施されている。
【０００３】
特許文献１には、計器の封印に一般的に用いられる封印具を用いた計器（電力計）の封印状態が開示されている。図７（ａ）は、その封印具８４の設置された状態の概略を説明する図であり、図７（ｂ）はその要部拡大図である。この図によると、まず、電力計は基台８２に取り付けられている。その基台８２に電力計を覆うカバー８１がそれぞれの外縁を当接させた状態で固定用ねじ８３により螺着される。基台８２及びカバー８１のそれぞれの外縁には、封印ワイヤ８９を挿通させる挿通孔８６、８７が形成されている。また、固定用ねじ８３の頭部には横孔８５が形成されている。この固定用ねじ８３の頭部の横孔８５並びに基台８２及びカバー８１のそれぞれの外縁に形成された挿通孔８６、８７に、切断用工具を用いて所定長さに切断した封印ワイヤ８９を挿通させ、この封印ワイヤ８９の両端を封印鉛８８の貫通孔８８ａに同方向から共に挿通させる。そして、封印ワイヤ８９が挿通された封印鉛８８をかしめ用工具を用いてかしめることで、封印ワイヤ８９が封印鉛８８に固着され、電力計が封印される。
【先行技術文献】
【特許文献】
【０００４】
【特許文献１】特開２００６−０６５００７号公報
【発明の概要】
【発明が解決しようとする課題】
【０００５】
しかし、従来の封印ワイヤと封印鉛からなる封印具を用いて計器を封印する場合、計器の設置してある現場まで封印ワイヤと封印鉛以外に封印ワイヤの切断用工具と封印鉛のかしめ用工具とを別々に持参する必要があった。また、作業現場において、封印ワイヤ及び封印鉛の準備、そして、上記のように切断用工具を用いた封印ワイヤの切断、封印ワイヤによるカバー、基台、及び固定用ねじの連綴（複数の物体を連ねて綴じること）、封印ワイヤの封印鉛への挿通、並びに封印ワイヤと封印鉛の固着という非常に煩雑な作業を行うこととなっていた。この作業の煩雑さにより、例えば一日のうちに多くの電力計の確認・調整を行う必要がある作業員は、計器の封印作業に非常に多くの時間が取られることになっていた。そのため、この作業負担の軽減が長い間求められていた。
【０００６】
本発明は、上記課題に鑑みてなされたものであり、その目的は、計器を覆うカバーの不正な開放を防止する封印具の設置を、極めて簡単な構成と作業で実施することができる封印具の保持設置装置を提供することである。
【課題を解決するための手段】
【０００７】
上記目的を解決するための請求項１に記載の発明は、
ケース本体とこれを開閉する蓋部とを有する機器を閉状態で封印するための、前記ケース本体と前記蓋部を連綴する線状の封印線と、該封印線の両端を同時に同方向から挿通可能な貫通孔を有し、且つ該貫通孔に通された前記封印線をかしめ固着可能な封印線固着材と、を有する封印具を保持し且つ設置する封印具保持設置装置において、前記封印線を一端側から引き出し可能に収納する封印線収納部と、前記封印線の引き出し側に設けられ、前記封印線収納部から引き出された封印線の一端を前記封印線固着材の貫通孔に挿通させた状態で複数の前記封印線固着材を保持する固着材保持部と、該固着材保持部から前記封印線を挿通させた状態で封印線固着材を装置内の先端スペースに順次送り出す固着材送り出し機構とを有し、前記先端スペースには、前記封印線固着材をかしめて該封印線固着材に挿通された封印線と固着する固着機構、及び前記封印線固着材に固着した封印線を該封印線固着材の固着材保持部側で切断する切断機構が設けられ、該先端スペースは、前記封印線の装置外への繰り出し、及び該先端スペースに送り込まれた前記封印線固着材の装置外への送り出しを行うための開口部に連続することを特徴とする。
【０００８】
この構成によれば、封印線切断用工具と、封印線固着材と封印線の固着用工具とが封印具保持設置装置内に一体となっているので、一つの装置のみによって封印線の封印線固着材への固着、封印線固着材に固着された封印線の切断を行うことができる。従って、封印線切断用工具及び封印線固着材と封印線の固着用工具を作業現場に持参する必要が無く、更にそれらの工具を使い分けて封印を行うという煩雑な作業を行わなくて良い。
【０００９】
また、封印線及び封印線固着材が、封印具保持設置装置中に設置準備された状態、すなわち、封印線の一端が封印線固着材の貫通孔に挿通された状態で保持されているので、従来のように計器等の封印をする度に作業現場において毎回封印線と封印線固着材を新たに取りだし、封印線を工具を用いて適切な長さに切断するという封印具設置の前段階の準備をする手間を省くことができる。
【００１０】
以上のことにより、封印線及び封印線固着材の一括保持及びそれらを用いた計器の封印作業の簡略化が図られる。
【００１１】
請求項２に記載の発明は、請求項１に記載の封印具保持設置装置において、前記固着材保持部には、前記封印線収納部側から前記先端スペース側までまっすぐに伸長する所定の剛性を有する中空管を有し、前記中空管は前記封印線固着材の貫通孔内に挿通され、前記封印線固着材は、前記貫通孔に前記中空管を挿通させた状態で前記固着材保持部に保持され、前記封印線の前記貫通孔への挿通は、前記中空管内に挿通されて行われることを特徴とする。
【００１２】
この構成によれば、各封印線固着材への封印線の挿通作業を、中空管に封印線を挿通させる動作のみで行うことができる。すなわち、複数の封印線固着材の貫通孔への封印線の挿通を一気に行うことができる。また、中空管はまっすぐに伸長し、且つ所定の剛性を有するので、その中空管の先端スペース側の上端から封印線固着材を嵌め差し込むという簡単な作業のみで、封印線固着材が、その貫通孔に封印線を挿通させた状態で補充できる。
【００１３】
請求項３に記載の発明は、請求項１又は２に記載の封印具保持設置装置において、前記封印線収納部には、収納された封印線を外方からの押し動作により前記封印線収納部から順次繰り出す封印線繰り出し機構が設けられたことを特徴とする。
【００１４】
この構成によれば、外方からの押し動作により、簡単に封印線が封印線収納部から固着材保持部方向へ順次繰り出される。従って、封印線収納部から固着材保持部方向への封印線の引き出しをより効率良く行うことができる。この繰り出し機構としては、既知の様々な構成のものを用いることができ、例えば、ノック式シャープペンシルに用いられる繰り出し機構の使用が可能である。
【００１５】
請求項４に記載の発明は、請求項１〜３の何れか１項に記載の封印具保持設置装置において、前記固着機構及び前記切断機構は、筒状に形成された前記先端スペースの側部に設けられ、且つ外方からの１つの押し動作によって同時に作動する構成を有することを特徴とする。
【００１６】
この構成によれば、先端スペースにおいて、封印線固着材と封印線の固着、及び封印線固着材に固着された封印線の切断を一つの動作で行うことができる。従って、封印具設置の作業をさらに効率的に行うことができる。
【発明の効果】
【００１７】
本発明によれば、封印線及び封印線固着材を用いた計器の封印を極めて簡単な構成と作業で行うことができるので、作業員の作業時間と作業負担を軽減することができる。このことにより、作業員は、更に多くの計器の封印作業又は他の業務を行う時間を確保することができる。
【００１８】
また、封印線、封印線固着材、封印線切断用工具、及び封印線固着材と封印線の固着用工具が封印具保持装置内に一括して納められているので、これらの持ち運びが容易である。
【図面の簡単な説明】
【００１９】
【図１】本発明の実施の形態に係る封印具保持設置装置１０の概略を説明する要部断面図である。
【図２】本実施の形態に係る封印具保持設置装置１０における固着材制止機構６０の構成を説明するための部分拡大図である。
【図３】図１のＩ−Ｉ線断面図である。
【図４】本実施の形態に係る封印具保持設置装置１０における固着材送り出し機構による、封印線固着材の送り出し状態の概略を説明する図である。
【図５】（ａ）図１の上側から本実施の形態に係る封印具保持設置装置１０を見た図である。（ｂ）図５（ａ）のＩＩ−ＩＩ線断面図である。
【図６】本実施の形態に係る封印具保持設置装置１０を用いた、封印具の設置動作の概略を説明する図である。
【図７】（ａ）従来の封印具の設置された状態の概略を説明する図である。（ｂ）図７（ａ）の要部拡大図である。
【発明を実施するための形態】
【００２０】
次に、本発明の実施の形態について、図１〜６に基づいて説明する。図１は、本実施の形態に係る封印具保持設置装置１０の概略を説明する要部断面図である。図示のように封印具保持設置装置１０は、連続する箱状又は筒状構造の結合体として構成されている。以下、その結合体の図１下側の一端側から図１上側の他端側に向けての各構成部を説明する。
【００２１】
まず、最下端部には、封印線である封印ワイヤ８９を巻き付けたボビン体２４を収納する封印線収納部２０が設けられており、この封印線収納部２０は、箱状のノックキャップ２１が、後述する封印線繰り出し機構３０の繰り出し機構ピストン３１の下端部に螺着されて構成されている。繰り出し機構ピストン３１には、その下端部から上端部まで繰り出し機構ピストン３１を貫通する孔部２５が設けられており、この孔部２５を挿通して封印ワイヤ８９が上方へ繰り出される。
【００２２】
封印線収納部２０の上方には、封印線繰り出し機構３０が、周知技術のシャープペンシンルの芯繰り出し機構と同様の構成をもって形成されている。この封印線繰り出し機構３０は、具体的には、まず、ノックキャップ２１と結合されている繰り出し機構ピストン３１が、筒状の繰り出し機構シリンダ３３に嵌挿されている。そして、繰り出し機構ピストン３１の段差部３１ａとこの段差部に対向する繰り出し機構シリンダ３３の段差部３３ａとの間には、コイル状のばねであるリターンスプリング３６が装填されており、繰り出し機構ピストン３１が、繰り出し機構シリンダ３３に対して離反する方向に付勢されている。更に、繰り出し機構ピストン３１の上端部には、チャックリング３４と協働して封印ワイヤ８９を挟持又は開放する働きを担う円筒状のチャック３２が結合されている。そして、ノックキャップ２１の外方からの矢印１００方向への押し動作により、リターンスプリング３６が収縮してチャック３２が上方に移動し、チャック３２の移動に伴い繰り出し機構ピストン３１の孔部２５を挿通する封印ワイヤ８９が上方に繰り出される。収縮したリターンスプリング３６が再び伸長するとチャック３２のみが元の位置に戻ることとなり、この繰り返しにより封印ワイヤ８９が上方に連続して繰り出される。
【００２３】
封印線繰り出し機構３０の繰り出し機構シリンダ３３の外側面は、後述する固着材保持部４０の構成部材であって、内部に封印線固着材を保持する有底箱状のマガジン４２の下面４３に嵌入する形で螺着結合されている。
【００２４】
マガジン４２の下面４３には、更にチャック３２がその上動に伴って進入可能な円柱状空間のチャックシリンダ部４４が凹設されている。
【００２５】
封印線繰り出し機構３０の上方には、上述のように封印線繰り出し機構３０と結合された箱状の固着材保持部４０が位置する。マガジン４２の底部４５には、封印線繰り出し機構３０から繰り出された封印ワイヤ８９が挿通するチャックシリンダ部４４から連続する挿通孔４６が設けられている。この挿通孔４６には、真っすぐな状態を維持できる程度の剛性を有する中空管４８の下端が連通して取り付けられている。この中空管４８は、マガジン４２の上端に位置する開口部５０の近傍まで延設されており、封印ワイヤ８９はこの中空管４８中に挿通されている。次に、固着材保持部４０であるマガジン４２の構成は、封印線固着材である略円柱状の封印鉛８８を複数個保持可能な空間を確保するように形成されており、更に、収納された封印鉛８８を常に上方に付勢するための機構が設けられている。本実施の形態では、上下動可能の板状のプッシャ４９が設けられ、このプッシャ４９と底部４５の間に装填されたコイルばねであるプッシャスプリング４７によりプッシャ４９を上方に付勢している。そして図示のように、付勢された５個の封印鉛８８は、マガジン４２の上部に形成された後述する固着材制止機構６０によりマガジン４２の開口部５０近傍で制止されている。
【００２６】
そして、この収納された封印鉛８８を常に上方に付勢するための機構（本実施の形態では、プッシャスプリング４７及びプッシャ４９）及び後述する固着材制止機構６０により固着材送り出し機構が構成されている。
【００２７】
図２は、固着材制止機構６０の構成を説明するための部分拡大図である。図示のように、固着材制止機構６０は、マガジン４２の開口部５０の近傍にて、マガジン４２の側壁から張り出して形成されている。この固着材制止機構６０は、ケーシング６１の内部に、プッシャ４９により上方に付勢された封印鉛８８の最も開口部５０側に位置する封印鉛８８−１に係止される棒状のストッパー６２が設けられている。このストッパー６２は、封印鉛８８の送り出し方向と略平行方向に動作可能な支持棒６３にヒンジ機構により連結されている。支持棒６３には、ケーシング６１から外方へ突出した操作突起６３ａが設けられている。また、操作突起６３ａは、ケーシング６１内に設けられたストッパースプリング６４によって図上上方に付勢されている。そして、ストッパー６３はケーシング６１の天井面６１ａに当接した状態で制止されている。これらの固着材制止機構６０により、プッシャ４９により上方に付勢された封印鉛８８は、マガジン４２の開口部５０近傍でその上動が抑止され、後述する先端スペース７０への送り出し準備がなされた状態で保持されている。
【００２８】
図３は、図１のＩ−Ｉ線断面図である。図示のように、マガジン４２の側壁には、この側壁からマガジン４２の箱体内方に突出して円柱状の封印鉛８８を支持するレール部である封印鉛ガイド５１が形成されている。封印線繰り出し機構３０から繰り出された封印ワイヤ８９は中空管４８中に挿通されており、マガジン４２の開口部５０からの封印鉛８８の投入は、その側面を貫通する貫通孔８８ａに中空管４８を貫通させ、且つ封印鉛ガイド５１間に収納されるように行われて保持されている。
【００２９】
ここで、固着材送り出し機構による封印鉛８８−１の先端スペース７０への送り出し動作について説明する。図４に示したように、まず、操作突起６３ａをプッシャスプリング６４の付勢力に抗して矢印２００方向へ押し下げることにより、ストッパー６２は、下方へ移動しつつ矢印３００方向へ回動する。この回動に伴い、封印鉛８８−１のストッパー６２による係止が解除され、封印鉛８８−１がプッシャ４９により先端スペース７０へ送り出される。封印鉛８８−１の送り出し後、操作突起６３ａの押し下げを解除することにより、ストッパー６２は上動して再び次の封印鉛８８−２の上部に係止され、この封印鉛８８−２の先端スペース７０への送り出しを抑止する。
【００３０】
更に、固着材保持部４０の上方には、開口部５０と連続する筒状の先端スペース７０が、マガジン４２と結合ヒンジ８０により連結されている。図５（ａ）は、図１の上側から封印具保持設置装置１０を見た図であり、図５（ｂ）は、図５（ａ）のＩＩ−ＩＩ線断面図である。
【００３１】
図５（ｂ）に示したように、先端スペース７０は、封印具保持設置装置１０を略水平にした状態で固着材保持部４０から送り出された封印鉛８８が載置される肉厚な側壁部７２を有している。この側壁部７２と対向する側には、封印ワイヤ８９と封印鉛８８をかしめ固着する固着機構として機能する略円柱状のプッシャ７４が装着されている。プッシャ７４の側壁部７２と対向する側の面は、封印鉛８８の面を咬持する凸凹状のかしめ部７４ａであり、反対側の面７４ｃをかしめ作業の際に作業員が矢印４００方向に押し動作を行うものである。図示のように、プッシャ７４の側面７４ｂの外周にはプッシャスプリング７５が装填され、プッシャ７４は矢印５００方向に付勢されている。封印線切断機構を構成するカッター７６は、図示のように、開口部５０の近傍位置で、プッシャ７４にかしめ部７４ａから突出するように固定されている。後述の動作の説明で述べるように、カッター７６は、プッシャ７４の押し動作の際に所定の作業の行われた封印ワイヤ８９を切断可能とする長さを有している。また、先端スペース７０の上端は開口されており、この開口部７７から装置外への封印ワイヤ８９の繰り出し、及び封印鉛８８の送り出しが行われる。開口部７７の周縁部の側壁の一端には開口部７７を覆う肉厚のビニールカーテン７８が取り付けられている。
【００３２】
ここで、図６により封印鉛８８が側壁部７２上に位置した状態からの封印作業を具体的に説明する。図６は、本実施の形態に係る封印具保持設置装置１０を用いた、封印具の設置動作の概略を説明する図である。図６（ａ）に示したように、まず、上述の固着材送り出し機構による送り出し動作により、封印具保持設置装置１０を略水平にした状態で封印鉛８８を先端スペース７０へ送り出す。次に、この封印鉛８８に挿通されている封印ワイヤ８９を更に外方へ引きだす。この引き出しは、上述のノックキャップ２１を押し動作した状態で簡単に行うことができる。次に、引きだされた封印ワイヤ８９を封印対象物であるケースの基台８２、及びこれを開閉する蓋部であるカバー８１のそれぞれの外縁に形成された挿通孔８６、８７に挿通する。ここで、側壁部７２には段差部７２ａが設けられており、次に説明するプッシャ７４の押し動作を行う前に封印鉛８８をこの段差部７２ａに当接させることで、封印鉛８８の位置決めを行うことができる。
【００３３】
次に、図６（ｂ）に示したように、挿通孔８６、８７を挿通した封印ワイヤ８９の先端を、更に封印鉛８８の貫通孔８８ａに再貫通させて先端を封印鉛８８の外側まで突出させる。そして、その状態で、プッシャ７４を矢印４００方向に押し動作することにより、かしめ部７４ａが対向する封印鉛８８の面を捉え、更にこれをかしめ潰し、貫通孔８８ａ内の封印ワイヤ８９と封印鉛８８を固着させる。同時に、カッター７６により、かしめ潰された封印鉛８８に固着した封印ワイヤ８９が切断される。
【００３４】
最後に、図６（ｃ）に示したように、プッシャ７４の押し動作を解除し、かしめ作業の終わった封印鉛８８を封印具保持設置装置１０の先端スペース７０から引き出すことで封印作業が完了する。
【００３５】
この様に、封印具保持設置装置１０内に、封印鉛８８と封印ワイヤ８９のかしめ固着機構であるプッシャ７４、及び封印ワイヤ８９を切断する切断機構であるカッター７６が備えられているので、作業者は封印具保持設置装置１０のみを現場に運び、これを使用することで計器の封印作業を全て完了させることができる。
【００３６】
次に、本実施の形態における固着材保持部４０への封印鉛８８の補充作業について説明する。まず、先端スペース７０が固着材保持部４０のマガジン４２と結合ヒンジ８０により連結されているので、このヒンジ機構を軸とした矢印５００方向への先端スペース７０の回動動作（図１参照）により、マガジン４２の開口部５０が開放される。この開口部５０から封印鉛８８をマガジン４２内に装填する。ここで、マガジン４２においては、真っすぐな状態を維持できる程度の剛性を有する中空管４８がマガジン４２内に存在しており、この中空管４８を封印鉛８８内の貫通孔８８ａに挿入させつつマガジン４２内に落とし込むことで装填が可能である。従って、装填された全ての封印鉛８８に封印ワイヤ８９が挿通された状態が確保される。これにより上述の封印作業の際に、個々に封印鉛８８に封印ワイヤ８９を挿通させるという手間を省くことができる。
【００３７】
また、本実施の形態においては、プッシャ７４に取り付けられたカッター７６によって、プッシャ７４の押し動作という一つの操作のみで、封印ワイヤ８９の封印鉛８８へのかしめ固着、及び封印鉛８８に固着された封印ワイヤ８９の切断を行うことができ、封印作業の効率化が図れている。
【００３８】
更に、マガジン４２と繰り出し機構シリンダ３３の結合部近傍の封印具保持設置装置１０の外側面には、封印線収納部２０、封印線繰り出し機構３０をカバーする円筒状のシェル体２６が螺着されており、これにより、例えば工具箱内での繰り出し機構ピストン３１の軸折れや抜脱、又はノックキャップ２１の脱落を予防することができる。
【００３９】
なお、本発明は上記実施の形態に限定されることなく、発明の趣旨を逸脱しない範囲で種々変更可能である。例えば、本実施の形態においては、封印線繰り出し機構３０としてシャープペンシンルの芯繰り出し機構と同様の構成を持つ封印線繰り出し機構を採用しているが、例えば、封印ワイヤ８９を巻き付けたボビン体２４を回転させるハンドル付き回転リールを用いた繰り出し機構であっても良く、それ以外の他の構成を採用することも可能である。
【符号の説明】
【００４０】
１０  封印具保持設置装置
２０  封印線収納部
２１  ノックキャップ
３０  封印線繰り出し機構
３１  繰り出し機構ピストン
３２  チャック
３３  繰り出し機構シリンダ
４０  固着材保持部
４２  マガジン
４８  中空管
４９  プッシャ
６０  固着材制止機構
６２  ストッパー
６３  支持棒
７０  先端スペース
７４  プッシャ
７６  カッター
８０  結合ヒンジ
８１  カバー
８２  基台
８８  封印鉛
８９  封印ワイヤ
【図１】
2011248184.tif 000003
【図２】
2011248184.tif 000004
【図３】
2011248184.tif 000005
【図４】
2011248184.tif 000006
【図５】
2011248184.tif 000007
【図６】
2011248184.tif 000008
【図７】
2011248184.tif 000009